(57)【要約】      （修正有）【課題】睡眠時無呼吸症候群の治療に使用するＣＰＡＰマスク，非侵襲的陽圧換気療法に使用するＮＰＰＶマスクであって、ＣＰＡＰマスク，ＮＰＰＶマスク内部に粘着することができる粘着機能を有する結露水吸水保水不織布を提供する。【解決手段】マスク１内部に結露水吸水保水不織布２を粘着し、マスク内部に発生する結露水を吸水及び保水し、マスク内部に結露して生じる水滴がマスクの使用者の顔５や鼻４の鼻孔内へ落下及び侵入することを防止する。また、マスク内部に粘着した結露水吸水保水不織布２により呼吸気体の調湿を行う。また、マスク内部に粘着することができる粘着機能を有する結露水吸水保水不織布に吸入薬を含浸または包含させマスクの使用者の呼吸気体に吸入薬を気化させることで、安定した投薬量を維持することができる手段を提供する。【選択図】図１
2020092750.tif 000002
【特許請求の範囲】
【請求項１】
睡眠時無呼吸症候群の治療に使用するCPAPマスク，非侵襲的陽圧換気療法に使用するNPPVマスクであって、前記マスク内部に粘着することができる粘着機能を有する結露水吸水保水不織布を粘着することを特徴とするマスク。
【請求項２】
マスク内部の結露水を吸水及び保水する結露水吸水保水不織布を睡眠時無呼吸症候群の治療に使用するCPAPマスク，非侵襲的陽圧換気療法に使用するNPPVマスク内部に粘着することができる粘着機能を有することを特徴とする請求項1に記載の結露水吸水保水不織布。
【請求項３】
マスク内部の結露水を吸水及び保水する結露水吸水保水不織布を呼吸気体の調湿体として活用することを特徴とする請求項1及び請求項2に記載のマスク及び結露水吸水保水不織布。
【請求項４】
マスク内部に粘着することができる粘着機能を有する結露水吸水保水不織布に吸入薬を含浸または包含させることを特徴とする請求項１、請求項２及び請求項３に記載の結露水吸水保水不織布。
【発明の詳細な説明】
【技術分野】
【０００１】
本発明は睡眠時無呼吸症候群の治療に使用するCPAPマスク，非侵襲的陽圧換気療法に使用するNPPVマスクの内部に粘着することができる粘着機能を有する結露水吸水保水不織布、吸入薬を含浸または包含させた粘着機能を有する結露水吸水保水不織布及びそのマスク構成に関するものである。
【背景技術】
【０００２】
睡眠時無呼吸症候群の治療に使用するCPAPマスク，非侵襲的陽圧換気療法に使用するNPPVマスクの内部に結露水が発生して、マスク内部の結露水がマスク使用者の顔面や鼻孔内に落下及び侵入し、マスク使用者が不快な覚醒をするなど結露水の顔面や鼻孔内への落下及び侵入は、マスク使用者に不快なストレスやトラウマを生じさせ治療の継続に大きな障害となっていた。また、衛生面での問題も生じる恐れがあった。
【０００３】
これらの課題を解決するため、以前から加温加湿器などによる クライメートコントロールや加温チューブなどの方法で温度と湿度をコントロールし、マスク内部などへの結露水の発生を予防する構成などが提案されてきた。
【０００４】
例えば、特許第5919263号公報（特許文献1）では、圧支持システムの患者回路の温度を自動制御する気道圧支持システムによって結露水発生を防止する構成が開示されている。
【０００５】
また、特許第6180776号公報（特許文献2)では、外部からの温度変化に対して影響を受けにくく、結露を生じさせることなく十分な加温及び加湿がなされた呼吸用ガスを安定して患者に供給することが可能な呼吸用ガスの加温加湿器が開示されている。
【０００６】
しかしながら、上記の特許文献１、及び特許文献２に開示の構成は、マスク使用者自身の呼吸気体に含まれる湿潤成分が、マスク内部に結露して生じる水滴がマスク使用者の顔面や鼻孔内へ落下及び侵入することを防止するという課題の解決に対しては用をなさなかった。
【０００７】
また、気道や肺に直接作用する吸入薬は経口薬に比べ全身的な副作用が少なく少量の薬剤で効果を発揮するメリットがあるが、吸入される薬剤の気道や肺への到達量によって治療効果が大きく左右され、吸入手技が不適切であると十分な効果が期待できないというデメリットがあった。
【先行技術文献】
【特許文献】
【０００８】
【特許文献１】特許第5919263号公報
【特許文献２】特許第6180776号公報
【発明の概要】
【発明が解決しようとする課題】
【０００９】
本発明が解決しようとする課題は、睡眠時無呼吸症候群の治療に使用するCPAPマスク，非侵襲的陽圧換気療法に使用するNPPVマスクの内部に発生する結露水を、マスク内部に粘着することができる粘着機能を有する結露水吸水保水不織布に吸水及び保水し、結露水の顔面や鼻孔内への落下及び侵入を防止し、結露水がマスク使用者の顔面や鼻孔内に落下及び侵入することで急に不快な覚醒をしてしまうなどマスク使用者が非常に不快に感じていた強いストレスやトラウマを解消するとともに、結露水吸水保水不織布に呼吸気体の調湿体としての機能も持たせ、結果治療効果を高める簡潔且つ高信頼性のCPAPマスク，NPPVマスク構成を提供することである。
【００１０】
また、気道や肺に直接作用する吸入薬は経口薬に比べ全身的な副作用が少なく少量の薬剤で効果を発揮するメリットがあるが、吸入される薬剤の気道や肺への到達量によって治療効果が大きく左右され、吸入手技が不適切であると十分な効果が期待できないというデメリットを解消する手段を提供することである。
【課題を解決するための手段】
【００１１】
本発明は、上記の課題を解決するために、CPAPマスク，NPPVマスク内部に粘着することができる粘着機能を有する結露水吸水保水不織布を提供することを特徴とする。
【００１２】
CPAPマスク，NPPVマスク内部に粘着することができる粘着機能を有する結露水吸水保水不織布をCPAPマスク，NPPVマスク内部に粘着し、CPAPマスク，NPPVマスク内部に発生する結露水を吸水及び保水することを特徴とする。
【００１３】
CPAPマスク，NPPVマスク内部に発生する結露水を吸水及び保水した結露水吸水保水不織布を呼吸気体の調湿体として活用することを特徴とする。
【００１４】
CPAPマスク，NPPVマスク内部に粘着することができる粘着機能を有する結露水吸水保水不織布に吸入薬を含浸または包含させ、CPAPマスク，NPPVマスク使用者の呼吸気体に吸入薬を気化させることで安定した投薬量を維持することができる手段を提供することを特徴とする。
【発明の効果】
【００１５】
本発明は上記の構成とすることにより、睡眠時無呼吸症候群の治療に使用するCPAPマスク，非侵襲的陽圧換気療法に使用するNPPVマスクの構成において、このマスク内部に発生する結露水がマスク使用者の顔面や鼻孔内に落下及び侵入することで急に不快な覚醒をしてしまうなど、マスク使用者が非常に強い不快なストレスやトラウマを感じることを解消することができる。結果治療の効果が阻害されることを防止する顕著な効果を創出することができる。
【００１６】
また、CPAPマスク，NPPVマスク内部に粘着され呼吸気体に含まれる湿潤成分を吸水及び保水した結露水吸水保水不織布は、必然的に呼吸気体の調湿体としての機能を持ち、結果治療効果を高める簡潔で高信頼性のCPAPマスク，NPPVマスク構成を創出する。
【００１７】
CPAPマスク，NPPVマスク内部に粘着することができる粘着機能を有する結露水吸水保水不織布に吸入薬を含浸または包含させ、CPAPマスク，NPPVマスク内部に粘着しマスク使用者の呼吸気体に吸入薬を気化させることで、安定した投薬量を維持することができ適正な薬剤投与を実現させることができる。結果治療の効果を高めることができる。
【図面の簡単な説明】
【００１８】
【図１】本発明に係るCPAPマスク，NPPVマスクの実施形態を説明する図である。（正面図）
【図２】本発明に係るCPAPマスク，NPPVマスクの実施形態を説明する図である。（断面図）
【図３】本発明に係るCPAPマスク，NPPVマスクの実施形態要素の形状変形を説明する図である。（正面図）
【図４】あおむけに寝た人間の寝顔を表した図である。
【発明を実施するための形態】
【００１９】
図１に、本発明に係るCPAPマスク、NPPVマスクの基本的実施形態の構成を示す。（正面図）
マスク１の内部に粘着することができる粘着機能を有する結露水吸水保水不織布２をマスク１の内部に粘着する。マスク１をマスク使用者の顔５、鼻４に密着させる。マスク１の内部に粘着した粘着機能を有する結露水吸水保水不織布２は使用毎に交換し、マスク1も使用毎に洗浄する。構成が単純で簡潔なため衛生管理の徹底を容易に実現させることができる。
【００２０】
図２は、本発明に係るCPAPマスク，NPPVマスクの実施形態を説明する図である。（断面図）
マスク１の内部に粘着することができる粘着機能を有する結露水吸水保水不織布２をマスク１の内部に粘着する。
２'はマスク１の内部に粘着された粘着機能を有する結露水吸水保水不織布２の断面を示す。
６は粘着機能を有する結露水吸水保水不織布２の粘着機能部分を示す。
マスク１の内部に粘着された粘着機能を有する結露水吸水保水不織布２はマスク１の結露水を吸水及び保水するとともに呼吸気体の調湿機能を果たす。
【００２１】
図３は、本発明に係るCPAPマスク，NPPVマスクの実施形態要素の形状変形を説明する図である。（正面図）
マスク１の内部に粘着することができる粘着機能を有する結露水吸水保水不織布の形状変形の一例を表した図である。
マスク１の内部に粘着することができる粘着機能を有する結露水吸水保水不織布の形状は、粘着機能を有する結露水吸水保水不織布２の形状に限定されるものではなく、粘着機能を有する結露水吸水保水不織布３のように断片的であったり、不定形状であってもよい。
【００２２】
図４は、あおむけに寝た人間の寝顔を表した図である。
粘着機能を有する結露水吸水保水不織布を装着したマスク１をマスク使用者の顔５、鼻４に密着させる。
【符号の説明】
【００２３】
１      マスク
２      粘着機能を有する結露水吸水保水不織布
２’      マスク１内部に粘着された粘着機能を有する結露水吸水保水不織布２の断面
３       粘着機能を有する結露水吸水保水不織布の断片的、不定形状の一例
４      鼻
５      顔
６     粘着機能を有する結露水吸水保水不織布粘着機能部分
【図１】
2020092750.tif 000003
【図２】
2020092750.tif 000004
【図３】
2020092750.tif 000005
【図４】
2020092750.tif 000006
【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
睡眠時無呼吸症候群の治療に使用するＣＰＡＰマスク又は非侵襲的陽圧換気療法に使用するＮＰＰＶマスクの少なくとも一方であって、前記マスク内部に粘着することができる粘着機能を有する結露水吸水保水不織布を粘着することを特徴とするマスク。
【請求項２】
マスク内部の結露水を吸水及び保水する結露水吸水保水不織布を睡眠時無呼吸症候群の治療に使用するＣＰＡＰマスク又は非侵襲的陽圧換気療法に使用するＮＰＰＶマスクの少なくとも一方の内部に粘着することができる粘着機能を有することを特徴とする請求項１に記載の結露水吸水保水不織布。
【請求項３】
マスク内部の結露水を吸水及び保水する結露水吸水保水不織布を呼吸気体の調湿体として活用することを特徴とする請求項１に記載のマスク。
【請求項４】
マスク内部の結露水を吸水及び保水する結露水吸水保水不織布を呼吸気体の調湿体として活用することを特徴とする請求項２に記載の結露水吸水保水不織布。
【請求項５】
マスク内部に粘着することができる粘着機能を有する結露水吸水保水不織布に吸入薬を含浸又は包含させることを特徴とする請求項１〜４のいずれかに記載の結露水吸水保水不織布。